【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
水生動物を追跡するためのタグであって、
前記タグの特性を検出するためのセンサと、
前記タグの外部環境に露出されるｐＨ感受性材料であって、前記ｐＨ感受性材料は酸性環境の存在下で分解し、前記ｐＨ感受性材料の分解は前記センサによって検出される前記タグの特性の検出可能な変化を引き起こす、ｐＨ感受性材料と、
前記センサによる前記タグの前記特性の前記検出に少なくとも基づいて、超音波信号を伝送するためのトランスデューサと
を備え、
前記タグの前記特性を検出するための前記センサは、磁石の存在又は不存在を感知することが可能な磁界センサを備え、前記磁石は、前記ｐＨ感受性材料が前記酸性環境において分解すると前記タグから解放されるように前記ｐＨ感受性材料によって前記タグに固定され、前記磁石が解放されるときに前記センサによって検出される前記磁石の存在又は不存在の変化は捕食イベントの指示を提供する、タグ。
【請求項２】
前記酸性環境は、捕食魚の胃腸である、請求項１に記載のタグ。
【請求項３】
前記ｐＨ感受性材料は、中性又は塩基性環境において前記中性又は塩基性環境のために分解しない、請求項１に記載のタグ。
【請求項４】
前記中性又は塩基性環境は、体腔である、請求項３に記載のタグ。
【請求項５】
前記ｐＨ感受性材料は、キトサンを含む、請求項１に記載のタグ。
【請求項６】
前記ｐＨ感受性材料は、キトサン及び溶媒のスラリーから成型される、請求項５に記載のタグ。
【請求項７】
前記溶媒は、
Ｌ−アスコルビン酸、
クエン酸、
酢酸、及び
塩酸
から選択される、請求項６に記載のタグ。
【請求項８】
前記溶媒は、クエン酸である、請求項６に記載のタグ。
【請求項９】
前記溶媒は、酢酸である、請求項６に記載のタグ。
【請求項１０】
前記ｐＨ感受性材料は、少なくとも０．０５ｍｍの厚みを有するフィルムを備える、請求項５に記載のタグ。
【請求項１１】
前記ｐＨ感受性材料は、少なくとも０．２０ｍｍの厚みを有するフィルムを備える、請求項１０に記載のタグ。
【請求項１２】
前記ｐＨ感受性材料は、可塑剤を含む、請求項５に記載のタグ。
【請求項１３】
前記可塑剤は、
グリセロール、
エチレン・グリコール、
ポリ・エチレン・グリコール、
エリトリトール、
オレイン酸、
プロピレン・グリコール、
ジヒドロキシル・ステアリン酸、及び
ソルビトール
から選択される、請求項１２に記載のタグ。
【請求項１４】
前記可塑剤は、グリセロールである、請求項１２に記載のタグ。
【請求項１５】
前記ｐＨ感受性材料は、架橋剤で処理されたものである、請求項１２に記載のタグ。
【請求項１６】
前記架橋剤は、
クエン酸ナトリウム、
硫酸ナトリウム、及び
塩化カルシウム
から選択される、請求項１５に記載のタグ。
【請求項１７】
前記トランスデューサ及び前記センサに結合されるマイクロプロセッサを更に備え、前記マイクロプロセッサは前記トランスデューサによる前記超音波信号の伝送を制御する、請求項１に記載のタグ。
【請求項１８】
前記マイクロプロセッサは、前記センサによる前記タグの前記特性の検出に少なくとも基づいて第１のモード又は第２のモードの少なくとも１つで動作する、請求項１７に記載のタグ。
【請求項１９】
前記マイクロプロセッサは、前記センサによる前記タグの前記特性の検出が前記酸性環境の存在下における前記ｐＨ感受性材料の分解の結果として変化すると、前記第１のモードでの動作から前記第２のモードで動作に切り替わる、請求項１８に記載のタグ。
【請求項２０】
前記マイクロプロセッサは、前記マイクロプロセッサの動作を構成するためのデータを前記タグに転送するために少なくとも構成モードで動作する、請求項１７に記載のタグ。
【請求項２１】
前記マイクロプロセッサが前記構成モードにあるときに前記タグにデータを転送するために、変動磁界が使用される、請求項２０に記載のタグ。
【請求項２２】
前記マイクロプロセッサは、一定磁界の存在下でデータを転送するために使用される変動磁界の検出を可能にする補償磁界のための値を決定するために少なくとも調整モードで更に動作する、請求項２１に記載のタグ。
【請求項２３】
前記マイクロプロセッサは、前記補償磁界のための値を計算し、前記補償磁界のために計算された値をアクティブ化装置に送信する、請求項２２に記載のタグ。
【請求項２４】
前記タグは、前記補償磁界のための値をアクティブ化装置に計算させるために検出された磁界の指示を送信する、請求項２２に記載のタグ。
【請求項２５】
水生動物を追跡するためのタグであって、
前記タグの特性を検出するためのセンサと、
前記タグの外部環境に露出されるｐＨ感受性材料であって、前記ｐＨ感受性材料は酸性環境の存在下で分解し、前記ｐＨ感受性材料の分解は前記センサによって検出される前記タグの特性の検出可能な変化を引き起こす、ｐＨ感受性材料と、
前記センサによる前記タグの前記特性の前記検出に少なくとも基づいて、超音波信号を伝送するためのトランスデューサと
を備え、
前記タグの前記特性を検出するための前記センサは、前記ｐＨ感受性材料で覆われる電極を備え、前記ｐＨ感受性材料が前記酸性環境において分解すると前記電極のインピーダンスが変化し、前記ｐＨ感受性材料が前記酸性環境において分解するときに測定された前記電極のインピーダンスが捕食閾値を超えると、捕食イベントが発生したことが決定される、タグ。
【請求項２６】
前記酸性環境は、捕食魚の胃腸である、請求項２５に記載のタグ。
【請求項２７】
前記ｐＨ感受性材料は、中性又は塩基性環境において前記中性又は塩基性環境のために分解しない、請求項２５に記載のタグ。
【請求項２８】
前記中性又は塩基性環境は、体腔である、請求項２７に記載のタグ。
【請求項２９】
前記ｐＨ感受性材料は、キトサンを含む、請求項２５に記載のタグ。
【請求項３０】
前記ｐＨ感受性材料は、キトサン及び溶媒のスラリーから成型される、請求項２９に記載のタグ。
【請求項３１】
水生動物を追跡するためのタグであって、
前記タグの特性を検出するためのセンサと、
前記タグの外部環境に露出されるｐＨ感受性材料であって、前記ｐＨ感受性材料は酸性環境の存在下で分解し、前記ｐＨ感受性材料の分解は前記センサによって検出される前記タグの特性の検出可能な変化を引き起こす、ｐＨ感受性材料と、
前記センサによる前記タグの前記特性の前記検出に少なくとも基づいて、超音波信号を伝送するためのトランスデューサと
を備え、
前記タグの前記特性を検出するための前記センサは、前記ｐＨ感受性材料によって第２の電極から分離される弾性電極を備え、前記弾性電極は、前記ｐＨ感受性材料が前記酸性環境において分解すると前記第２の電極に接触するように付勢され、前記弾性電極は、前記ｐＨ感受性材料が分解していないときに前記ｐＨ感受性材料によって前記第２の電極に接触しないようにされる、タグ。
【請求項３２】
前記酸性環境は、捕食魚の胃腸である、請求項３１に記載のタグ。
【請求項３３】
前記ｐＨ感受性材料は、中性又は塩基性環境において前記中性又は塩基性環境のために分解しない、請求項３１に記載のタグ。
【請求項３４】
前記中性又は塩基性環境は、体腔である、請求項３３に記載のタグ。
【請求項３５】
前記ｐＨ感受性材料は、キトサンを含む、請求項３１に記載のタグ。
【請求項３６】
前記ｐＨ感受性材料は、キトサン及び溶媒のスラリーから成型される、請求項３５に記載のタグ。
【請求項３７】
水生動物を追跡するためのタグであって、
前記タグの特性を検出するためのセンサと、
前記タグの外部環境に露出されるｐＨ感受性材料であって、前記ｐＨ感受性材料は酸性環境の存在下で分解し、前記ｐＨ感受性材料の分解は前記センサによって検出される前記タグの特性の検出可能な変化を引き起こす、ｐＨ感受性材料と、
前記センサによる前記タグの前記特性の前記検出に少なくとも基づいて、超音波信号を伝送するためのトランスデューサと
を備え、
前記タグの前記特性を検出するための前記センサは、前記ｐＨ感受性材料が前記酸性環境において分解すると弾性歪みゲージが構成を変化させるように、前記ｐＨ感受性材料内で成型される弾性歪みゲージを備える、タグ。
【請求項３８】
前記酸性環境は、捕食魚の胃腸である、請求項３７に記載のタグ。
【請求項３９】
前記ｐＨ感受性材料は、中性又は塩基性環境において前記中性又は塩基性環境のために分解しない、請求項３７に記載のタグ。
【請求項４０】
前記中性又は塩基性環境は、体腔である、請求項３９に記載のタグ。
【請求項４１】
前記ｐＨ感受性材料は、キトサンを含む、請求項３７に記載のタグ。
【請求項４２】
前記ｐＨ感受性材料は、キトサン及び溶媒のスラリーから成型される、請求項４１に記載のタグ。
【請求項４３】
水生動物を追跡するためのタグであって、
前記タグの特性を検出するためのセンサと、
前記タグの外部環境に露出されるｐＨ感受性材料であって、前記ｐＨ感受性材料は酸性環境の存在下で分解し、前記ｐＨ感受性材料の分解は前記センサによって検出される前記タグの特性の検出可能な変化を引き起こす、ｐＨ感受性材料と、
前記センサによる前記タグの前記特性の前記検出に少なくとも基づいて、超音波信号を伝送するためのトランスデューサと
を備え、
前記タグの前記特性を検出するための前記センサは、光伝送装置と、前記光伝送装置と整列される光受信装置であって、前記光伝送装置から前記光受信装置への光の伝送を阻止するために前記ｐＨ感受性材料により分離される光受信装置とを備える、タグ。
【請求項４４】
前記酸性環境は、捕食魚の胃腸である、請求項４３に記載のタグ。
【請求項４５】
前記ｐＨ感受性材料は、中性又は塩基性環境において前記中性又は塩基性環境のために分解しない、請求項４３に記載のタグ。
【請求項４６】
前記中性又は塩基性環境は、体腔である、請求項４５に記載のタグ。
【請求項４７】
前記ｐＨ感受性材料は、キトサンを含む、請求項４３に記載のタグ。
【請求項４８】
前記ｐＨ感受性材料は、キトサン及び溶媒のスラリーから成型される、請求項４７に記載のタグ。